(57)【要約】【課題】ヒンジ構造を簡単化し、蓋部材の上面の外観を向上させ、操作部材による蓋部材の開動作を弾性復元力でスムーズに行える蓋付き容器を提供する。【解決手段】容器本体１にヒンジ部４で開閉可能に連結された蓋部材２を操作部材３で開放させる蓋付き容器であって、操作部材３は、容器本体１に対して操作可能とされた操作ボタン部３ａと、蓋部材２を開蓋方向に押圧する押圧部３ｂと、押圧部３ｂと操作ボタン部３ａとを連結し、操作ボタン部３ａの操作によって弾性変形して開蓋力を蓄勢し、該開蓋力を押圧部３ｂに伝達する伝動部３ｃとを有し、押圧部３ｂは、操作ボタン部３ａの操作によって、蓋部材２のヒンジ部支点より揺動端側部位を押圧するように、ヒンジ部４のヒンジ部支点より揺動端側部位に対向して配置してある。【選択図】      図１
2004315063.tif 000002
【特許請求の範囲】
【請求項１】
容器本体と、蓋部材と、前記容器本体に対して前記蓋部材をヒンジ部支点廻りで開閉可能に連結するヒンジ部と、前記容器本体に組み込まれた蓋部材開放用の操作部材とからなる蓋付き容器において、
前記操作部材は、前記容器本体に対して操作可能とされた操作ボタン部と、前記蓋部材を開蓋方向に押圧する押圧部と、該押圧部と操作ボタン部とを連結し、操作ボタン部の操作によって弾性変形して開蓋力を蓄勢し、該開蓋力を押圧部に伝達する伝動部とを有し、
前記押圧部は、操作ボタン部の操作によって、蓋部材のヒンジ部支点より揺動端側部位を押圧するように、前記ヒンジ部のヒンジ部支点より揺動端側部位に対向して配置されていることを特徴とする蓋付き容器。
【請求項２】
前記容器本体と蓋部材との間には、閉蓋用係合部が設置され、かつ、前記操作部材には、操作ボタン部の操作によって前記閉蓋用係合部の係合を解除する係合解除部が形成されていることを特徴とする請求項１に記載の蓋付き容器。
【請求項３】
前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の内側方向に向けて押圧操作可能に組み込まれており、また、押圧部が、容器本体の外側壁部に容器本体の内外方向へ出退可能に組み込まれており、さらに、伝動部が、容器本体の環状空間内に内外方向と平行に配置されていることを特徴とする請求項１又は２に記載の蓋付き容器。
【請求項４】
前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の上側方向に向けて押圧操作可能に組み込まれており、また、押圧部が、容器本体の外側壁部に容器本体の内外方向へ出退可能に組み込まれており、さらに、伝動部が、容器本体の環状空間内に操作ボタン部から押圧部に向けて斜め上に傾斜状態で配置されていることを特徴とする請求項１又は２に記載の蓋付き容器。
【請求項５】
前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の下側方向に向けて押圧操作可能に組み込まれており、また、押圧部が、容器本体の外側壁部に容器本体の内外方向へ出退可能に組み込まれており、さらに、伝動部が、容器本体の環状空間内に操作ボタン部から押圧部に向けて斜め下に傾斜状態で配置されており、前記係合解除部が、押圧部の上面と蓋部材とに形成されていることを特徴とする請求項１又は２に記載の蓋付き容器。
【請求項６】
前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の斜め上方向に向けて押圧操作可能に組み込まれており、また、押圧部が容器本体の外側壁部に容器本体の内外方向へ出退可能に組み込まれており、さらに、伝動部が、容器本体の環状空間内に容器本体の内外方向へ平行に配置され、前記押圧部が、容器本体の容器部底面に嵌め込まれた底板部から起立して容器本体の内外方向へ弾性変形可能とされた脚部に連結されていることを特徴とする請求項１又は２に記載の蓋付き容器。
【請求項７】
前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の周囲複数箇所に内側方向に向けて押圧操作可能に組み込まれており、また、押圧部が容器本体の外側壁部に容器本体の内外方向へ出退可能に組み込まれており、さらに、伝動部が、前記複数箇所の操作ボタン部と単一の押圧部とを連結した状態で容器本体の環状空間内に容器本体の内外方向へ平行に配置されていることを特徴とする請求項１又は２に記載の蓋付き容器。
【請求項８】
前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の内側方向に向けて押圧操作可能に組み込まれており、また、押圧部が容器本体の外側壁部に容器本体の内外方向へ出退可能に組み込まれており、さらに、伝動部が、容器本体の底部に沿って平行に配置され、前記操作ボタン部と押圧部とにそれぞれ脚部材で連結されていることを特徴とする請求項１又は２に記載の蓋付き容器。
【請求項９】
前記ヒンジ部は、蝶番軸を支点として蓋部材を容器本体に対して開閉可能に枢着しており、前記蝶番軸の断面形状が楕円形乃至小判型とされ、前記蝶番軸の軸受孔が該蝶番軸を両側から弾性的に挟持する二股状とされ、この二股状の軸受孔の両側対向面と前記蝶番軸の小径部両面とが接触するときの蓋部材の開閉角度位置が、蓋部材の開放端又は閉鎖端に対応付けられていることを特徴とする請求項１〜８の何れかに記載の蓋付き容器。
【請求項１０】
前記ヒンジ部は、蝶番軸を支点として蓋部材を容器本体に対して開閉可能に枢着しており、かつ、操作部材の押圧部に対応する蓋部材のヒンジ部支点近傍に、該押圧部が当接して蓋部材の開放を途中で規制するストッパー部が形成されていることを特徴とする請求項１〜８の何れかに記載の蓋付き容器。
【請求項１１】
前記容器本体を下部から覆い隠す底板部材を設けたことを特徴とする請求項１〜１０の何れかに記載の蓋付き容器。
【請求項１２】
前記容器本体は、別体とされた容器部が入れ替え可能に嵌合されていることを特徴とする請求項１〜１１の何れかに記載の蓋付き容器。
【請求項１３】
前記容器本体は、別体とされた容器部が嵌合され、かつ、外周壁部の下端内周部に前記別体の容器部の肩部が係合されていることを特徴とする請求項１〜１１の何れかに記載の蓋付き容器。
【発明の詳細な説明】
【０００１】
【発明の属する技術分野】
本発明は、化粧用コンパクト容器、その他、ワンタッチ操作にて開動作を行う蓋付き容器に関するものである。
【０００２】
【従来の技術】
従来、ワンタッチ操作にて開動作を行う蓋付きの容器は公知である（例えば、特許文献１参照。）。
また、本出願人は、ワンタッチ操作にて開動作を行う蓋付きキャップを既に出願している（例えば、特許文献２乃至５参照。）。
【０００３】
【特許文献１】
実開昭５９−１３２０３号公報
【特許文献２】
特開２００２−６８２４８号公報
【特許文献３】
特開２００２−２１１６１４号公報
【特許文献４】
特開２００２−２１１６１５号公報
【特許文献５】
特開２００２−２９３３５０号公報
【０００４】
【発明が解決しようとする課題】
しかしながら、従来の特許文献１のものは、蓋の閉鎖状態において、板ばねを撓ませて弾力を蓄勢させているため、板ばねの疲労を早め、また、ふとした弾みにより開動作ボタンに外力が作用すると蓋が全開し、ハンドバック内などを汚損してしまう可能性がある。そこで、蓋の閉鎖状態を確実に保持させるため、係合部の係合を確実化し、係合力を前記板ばねの蓄勢弾力に打ち勝つように十分に強く設定しておかなければならない。そうすると、開動作ボタンによる係合部の係合解除に大きな力が必要となり、操作性が悪化するという問題がある。また、開動作ボタンとは別部材の板ばねを組込む必要があるため、部品点数が増加し、組立工数が増えることになる。更には、板ばねという金属製弾性材料を用いているため、分別廃棄が求められている昨今では、問題となる。
【０００５】
特許文献２乃至５は、これらの問題を解消し得るものであるが、これらに開示されている開閉用ヒンジの構造は、キャップ本体の外周壁部からキャップカバーの上面にまで及んで設けられる切り込みによって、側面形状が鉤形（倒立Ｌ字形）を呈する如く形成されたバネ帯部の下端部でキャップ本体に、また上端部でキャップカバーにそれぞれ連結され、かつ、該バネ帯部の中間屈曲部の両脇の補助連結部でもキャップ本体とキャップカバーとを連結させた構造となっている。即ち、キャップ本体とキャップカバーとは、補助連結部を支点とし、この支点の両側２点をバネ帯部で連結し、３点が一直線上に並ぶ位置をバネ帯部の弾性復元力の最大位置とし、この位置を開閉の中立位置として、その両側ではバネ帯部の弾性復元力でキャップカバーを閉鎖状態又は開放状態に保持させるようにしている。そして、キャップカバーの開放時には、補助連結部（支点）の位置より下部のバネ帯部の下端部寄り部分を操作部材の押圧部でキャップ本体の内側から径方向外側へ押圧してバネ帯部を介してキャップカバーの開放角度を増大させてゆき、前記中立位置を越えさせることにより、キャップカバーを開放状態に保持させるようにしている。しかしながら、上記ヒンジ構造であると、ヒンジ構造自体が複雑化し、しかも、バネ帯部の切り込みがキャップカバーの上面に露呈しているため、化粧用コンパクト容器等の高級感を必要とする容器に適用した場合、外観体裁が悪くなる等の問題点があった。
【０００６】
そこで、本発明は、従来の技術文献の上記問題点に鑑み、ヒンジ構造を簡単化し、蓋部材の上面の外観を向上させ、操作部材による蓋部材の開動作を弾性復元力でスムーズに行える蓋付き容器を提供することを目的としている。
【０００７】
【課題を解決するための手段】
この技術的課題を解決するための本発明の技術的手段は、容器本体と、蓋部材と、前記容器本体に対して前記蓋部材をヒンジ部支点廻りで開閉可能に連結するヒンジ部と、前記容器本体に組み込まれた蓋部材開放用の操作部材とからなる蓋付き容器において、
前記操作部材は、前記容器本体に対して操作可能とされた操作ボタン部と、前記蓋部材を開蓋方向に押圧する押圧部と、該押圧部と操作ボタン部とを連結し、操作ボタン部の操作によって弾性変形して開蓋力を蓄勢し、該開蓋力を押圧部に伝達する伝動部とを有し、
前記押圧部は、操作ボタン部の操作によって、蓋部材のヒンジ部支点より揺動端側部位を押圧するように、前記ヒンジ部のヒンジ部支点より揺動端側部位に対向して配置されていることを特徴としている（請求項１）。
【０００８】
本発明の上記構成によれば、簡単なヒンジ構造を採用して蓋部材を前記先行出願と同様にスムーズに開放操作することができ、その際、蓋部材の上面には前記先行出願のヒンジ構造のようなバネ帯部のための切り込みが露呈しないため、蓋部材の上面の外観を向上させることができる。
また、本発明の前記容器本体と蓋部材との間には、閉蓋用係合部が設置され、かつ、前記操作部材には、操作ボタン部の操作によって前記閉蓋用係合部の係合を解除する係合解除部が形成されていることを特徴としている（請求項２）。
【０００９】
本発明の上記構成によれば、操作部材の操作によって、容器本体に対する蓋部材の係合が先に解除され、続いて、伝動部を弾性変形させて開蓋力（弾性復元力）を蓄勢させ、該開蓋力で蓋部材を一気に全開させることができる。
また、本発明の前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の内側方向に向けて押圧操作可能に組み込まれており、また、押圧部が、容器本体の外側壁部に容器本体の内外方向へ出退可能に組み込まれており、さらに、伝動部が、容器本体の環状空間内に内外方向と平行に配置されていることを特徴としている（請求項３）。
【００１０】
本発明の上記構成によれば、１本の指で操作ボタン部を容器本体の内側方向に押圧することにより、蓋部材をスムーズに開放操作することができる。
また、本発明の前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、前記操作部材の操作ボタン部が、容器本体の外側壁部に外面を露呈して容器本体の上側方向に向けて押圧操作可能に組み込まれており、また、押圧部が、容器本体の外側壁部に容器本体の内外方向へ出退可能に組み込まれており、さらに、伝動部が、容器本体の環状空間内に操作ボタン部から押圧部に向けて斜め上に傾斜状態で配置されていることを特徴としている（請求項４）。
【００１１】
本発明の上記構成によれば、１本の指で操作ボタン部を容器本体の上側方向に押圧することにより、蓋部材をスムーズに開放操作することができる。
また、本発明の前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の下側方向に向けて押圧操作可能に組み込まれており、また、押圧部が、容器本体の外側壁部に容器本体の内外方向へ出退可能に組み込まれており、さらに、伝動部が、容器本体の環状空間内に操作ボタン部から押圧部に向けて斜め下に傾斜状態で配置されており、前記係合解除部が、押圧部の上面と蓋部材とに形成されていることを特徴としている（請求項５）。
【００１２】
本発明の上記構成によれば、１本の指で操作ボタン部を容器本体の下側方向に押圧することにより、蓋部材をスムーズに開放操作することができる。
また、本発明の前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の斜め上方向に向けて押圧操作可能に組み込まれており、また、押圧部が容器本体の外側壁部に容器本体の内外方向へ出退可能に組み込まれており、さらに、伝動部が、容器本体の環状空間内に容器本体の内外方向へ平行に配置され、前記押圧部が、容器本体の容器部底面に嵌め込まれた底板部から起立して容器本体の内外方向へ弾性変形可能とされた脚部に連結されていることを特徴としている（請求項６）。
【００１３】
本発明の上記構成によれば、１本の指で操作ボタン部を容器本体の斜め上方向に押圧することにより、蓋部材をスムーズに開放操作することができる。
また、本発明の前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の周囲複数箇所に内側方向に向けて押圧操作可能に組み込まれており、また、押圧部が容器本体の外側壁部に容器本体の内外方向へ出退可能に組み込まれており、さらに、伝動部が、前記複数箇所の操作ボタン部と単一の押圧部とを連結した状態で容器本体の環状空間内に容器本体の内外方向へ平行に配置されていることを特徴としている（請求項７）。
【００１４】
本発明の上記構成によれば、容器本体の周囲複数箇所の操作ボタン部を複数の指で容器本体の内側方向に押圧することにより蓋部材をスムーズに開放操作することができる。しかも、操作ボタン部を両側対称位置、その他、操作性、機能性、デザイン性等を考慮して適宜の複数箇所に設置することができる。
また、本発明の前記容器本体は、容器部と、該容器部の外側周囲を囲むように配置された外側壁部と、前記容器部と外側壁部との間に形成された環状空間と、該環状空間の上部で前記容器部と外側壁部とを連結する天板部とを有しており、
前記操作部材の操作ボタン部が、容器本体の外側壁部に外面を露呈して容器本体の内側方向に向けて押圧操作可能に組み込まれており、また、押圧部が容器本体の外側壁部に容器本体の内外方向へ出退可能に組み込まれており、さらに、伝動部が、容器本体の底部に沿って平行に配置され、前記操作ボタン部と押圧部とにそれぞれ脚部材で連結されていることを特徴としている（請求項８）。
【００１５】
本発明の上記構成によれば、１本の指で操作ボタン部を容器本体の内側方向に押圧することにより、蓋部材をスムーズに開放操作することができると共に、伝動部及び脚部材によって容器本体の底部を被覆保護させることができる。
また、本発明の前記ヒンジ部は、蝶番軸を支点として蓋部材を容器本体に対して開閉可能に枢着しており、前記蝶番軸の断面形状が楕円形乃至小判型とされ、前記蝶番軸の軸受孔が該蝶番軸を両側から弾性的に挟持する二股状とされ、この二股状の軸受孔の両側対向面と前記蝶番軸の小径部両面とが接触するときの蓋部材の開閉角度位置が、蓋部材の開放端又は閉鎖端に対応付けられていることを特徴としている（請求項９）。
【００１６】
本発明の上記構成によれば、蓋部材の開閉操作にクリック感を持たせることができる。
また、本発明の前記ヒンジ部は、蝶番軸を支点として蓋部材を容器本体に対して開閉可能に枢着しており、かつ、操作部材の押圧部に対応する蓋部材のヒンジ部支点近傍に、該押圧部が当接して蓋部材の開放を途中で規制するストッパー部が形成されていることを特徴としている（請求項１０）。
本発明の上記構成によれば、簡単な構造で蓋部材の開放を途中で規制させることができ、例えば、蓋部材を一気に全開させると、その衝撃で容器全体が手のひらから落下する恐れがあるような場合に適用して好適である。なお、この場合、蓋部材の残りの開放は手等で直接行うことが可能とされている。
【００１７】
また、本発明は、前記容器本体を下部から覆い隠す底板部材を設けたことを特徴としている（請求項１１）。
本発明の上記構成によれば、容器本体の下部においても、操作部材を体裁良く覆い隠すことができる。
また、本発明の前記容器本体は、別体とされた容器部が入れ替え可能に嵌合されていることを特徴としている（請求項１２）。
本発明の上記構成によれば、レフィル（ｒｅｆｉｌｌ）容器方式の内容物を対象とした容器に対しても蓋付き容器として使用することができる。
【００１８】
また、本発明の前記容器本体は、別体とされた容器部が嵌合され、かつ、外周壁部の下端内周部に前記別体の容器部の肩部が係合されていることを特徴としている（請求項１３）。
本発明の上記構成によれば、化粧用クリーム容器やボトル容器のような大型容器に対しても蓋付き容器として使用することができる。
【００１９】
【発明の実施の形態】
以下、本発明の実施の形態を図面に基づいて説明する。
図１の（Ａ）（Ｂ）は本発明の蓋付き容器の第１実施形態を示すものである。
この第１実施形態の蓋付き容器は、容器本体１と、蓋部材２と、操作部材３とを有している。容器本体１と蓋部材２とはヒンジ部４を介して開閉可能に連結されており、この蓋部材２を操作部材３で開放させるものである。
容器本体１は、天板部１ａと、天板部１ａの外側周囲に沿って設けられた外側壁部１ｂと、外側壁部１ｂの内側に環状空間１ｃを保持させて設けられた容器部１ｄとからなっている。外側壁部１ｂと容器部１ｄとはヒンジ部４の設置スペースを確保しつつ容器部１ｄの平面積をできるだけ大きく取るために一方に片寄って配置されている。第１実施形態では、容器本体１と蓋部材２との平面形状を同一形状（同一円形）とし、容器部１ｄと外側壁部１ｂとをヒンジ部４の設置位置と反対側に偏心させた形状とした場合を例示しているが、平面形状は他の形状、例えば、多角形、四角形、楕円形その他の形状とすることができる。
【００２０】
容器本体１と蓋部材２との間には、閉蓋状態を保持する係合部５を設け、また、操作部材３と蓋部材２には、操作部材３の押圧操作時、前記係合部５の係合を解除する係合解除部６ａと受部６ｂを設けている。上記係合部５は、ヒンジ部４の設置位置と対向する位置に弾性変形によって係脱可能な凹凸形状として設置しているが、他の位置に設けても良い。また、係合解除部６ａと受部６ｂは、係合部５の外面位置に押圧面と傾斜カム面として設置しているが、他の位置に設けても良い。
【００２１】
蓋部材２は、内面に環状凸部２ａが容器部１ｄの開口部上面と対応して設けられており、この環状凸部２ａによって、容器部１ｄの開口部上面をシールさせている。
操作部材３は、容器本体１の外周壁部１ｂに形成された窓孔８から一部露呈して押圧操作可能に組み込まれた操作ボタン部３ａと、容器本体１の天板部１ａ下部の環状空間１ｃ内で外側壁部１ｂの窓孔９から前記ヒンジ部４の支点近傍に正対して出退動作可能に保持された押圧部３ｂと、これら操作ボタン部３ａと押圧部３ｂとを連結し、前記操作ボタン部３ａが押圧操作されたときに弾性変形して開蓋力を蓄勢し、これを押圧部３ｂに伝達して蓋部材２を開放させる伝動部３ｃとを有している。
【００２２】
上記操作ボタン部３ａは、ブロック形状とされ、内外面が容器本体１の外周面形状と同様な形状（本実施形態では、円弧形状）に揃えられている。この操作ボタン部３ａに対して、伝動部３ｃが帯環状に一連に連結構成されており、この伝動部３ｃから押圧部３ｂが伝動部３ｃの上部側に片寄せて突起状に突設されている。この帯環状の伝動部３ｃは、容器本体１の外側壁部１ｂの内側で容器部１ｄを取り巻くように環状空間１ｃ内に略円形から楕円形に弾性変形可能な状態に収納されている。また、押圧部３ｂは、帯環状をなす伝動部３ｃの操作ボタン部３ａと対向する位置（反対側位置）に突設されている。この押圧部３ｂの先端が蓋部材２を押圧する位置は、ヒンジ部４の支点より上側、即ち、蓋部材２の揺動端側部位に設定してある。
【００２３】
ヒンジ部４は、本実施形態では、蝶番軸４ａを支点として容器本体１に対して蓋部材２を開閉可能に枢着した蝶番構造の場合を例示している。この場合、容器本体１の外側壁部１ｂの最大偏心位置側内面を中心側に接近させた位置で弦状の直線面１ｅとして形成し、この弦状の直線面１ｅと外周面との間の肉厚を増大させ、この増大した肉厚部分に蝶番構造のヒンジ部４を形成するためのヒンジ凹部１ｆを外側壁部１ｂの外面に上下方向全長に亘って形成され、このヒンジ凹部１ｆに嵌合するヒンジ凸部２ｂが蓋部材２の対応位置に下向きに突出して形成され、該ヒンジ凸部２ｂがヒンジ凹部１ｆ内で蝶番軸４ａにより枢着されている。この構造を採用することにより、容器本体１の外面は、蝶番構造のヒンジ部４を採用するにも拘らず、局部的に外側に突出することがなく、同一の円弧面に揃えることができる。なお、上記実施形態では、ヒンジ凹部１ｆの形成に当たって、外側壁部１ｂの内周面に弦状の直線面１ｅを形成した場合を例示しているが、この直線面１ｅの代わりに、ヒンジ凹部１ｆに沿った凹部面とし、この部分での外側壁部１ｂの肉厚を他の部分と同一としてもよい。
【００２４】
前記ヒンジ凸部２ｂは、蓋部材２の内面側において、操作部材３の押圧部３ｂと対応する部位に凹所２ｃが形成されており、この凹所２ｃを形成することによって、操作部材３の押圧部３ｂを、外側壁部１ｂのヒンジ凹部１ｆの薄肉部から外側のヒンジ部４側へ大きく突出させて、該押圧部３ｂの安定支持を確保させている。また、この構造を採用することによって、蓋付き容器全体の小型コンパクト化を図っている。
上記蝶番軸４ａが挿通されるヒンジ凸部２ｂの軸受孔２ｄは、図２の（Ｃ）に示すように、下方に向けて開口するスリット部２ｅによって二股状とされている。このスリット部２ｅの幅は、蝶番軸４ａの直径より狭くされており、蝶番軸４ａを両側から弾性的に挟持するように構成されている。本実施形態では、蝶番軸４ａは、予めヒンジ凹部１ｆの所定位置に固定して取付けられており、この蝶番軸４ａに向けて、ヒンジ凸部２ｂをヒンジ凹部１ｆに上方から挿入し、該ヒンジ凸部２ｂの下方に開口するスリット部２ｅを蝶番軸４ａで弾性変形させて拡開させながら軸受孔２ｄに押し込ませて組み込むようにしている。この場合、スリット部２ｅの下部の入口は、蝶番軸４ａの挿入を容易とするために、テーパー状の案内面とされている。
【００２５】
本発明の蓋付き容器の第１実施形態は、上記構成からなり、図１の（Ａ）（Ｂ）に示す閉蓋状態から操作ボタン部３ａを容器本体１の内側に向けて押圧操作すると、先ず、図２の（Ａ）（Ｂ）に示すように、操作ボタン部３ａの係合解除部６ａによって蓋部材２の受部６ｂを押し上げて、容器本体１と蓋部材２とを閉蓋状態に保持している係合部５の係合を解除させる。
続いて、押圧部３ｂが蓋部材２のヒンジ凸部２ｂの凹所２ｃの底面に当接し、この当接によって蓋部材２をヒンジ部４廻りの摩擦抵抗等に抗して開放方向に押圧する。このとき、伝動部３ｃは、図１の（Ｂ）に示す環状形状から図２の（Ｂ）に示す環状形状に圧縮変形せしめられて弾性復元力を蓄勢する。
【００２６】
そして、この弾性復元力が前記摩擦抵抗等に打ち勝つ状態に達すると、蓋部材２を一気に全開状態へ移行させる。これらの一連の動作は、操作ボタン部３ａを容器本体１の内側に押圧操作することにより達成されるものである。
蓋部材２の全開状態は、図２の（Ａ）（Ｂ）に破線で示している。なお、蓋部材２の全開角度は、用途目的等に応じて適宜設定可能である。
蓋部材２の閉鎖は、手指等の外力によって行われ、図１の（Ａ）（Ｂ）に示す状態に戻る。この状態では、蓋部材２は容器本体１に係合部５によって係合して閉蓋状態を保持しており、また、操作部材３も元の状態に戻っており、伝動部３ｃも復元して操作ボタン部３ａの外面が容器本体１の外側壁部１ｂの外面から所定量だけ突出した状態となる。
【００２７】
図３は、本発明の蓋付き容器の第２実施形態を示しており、前記第１実施形態の容器本体１とほぼ同一の構成からなる容器本体１の底部に、別体の底板部材７を係合装着した場合を例示している。この底板部材７は、容器本体１の外側壁部１ｂの下部内面に係合装着される環状凸部７ａと、ヒンジ凹部１ｆに嵌合する突起７ｂとを上面に形成し、下面周囲に環状フランジ部７ｃを形成している。そして、環状凸部７ａの外面と、容器本体１の外側壁部１ｂの下部内面とには、凹凸係合部７ｄ、１ｇを形成している。この図３に示す第２実施形態は、容器本体１の下部を底板部材７によって覆い隠すようにしたものであって、底板部材７の外輪郭形状は、容器本体１の外側壁部１ｂと同一か、やや大きくしてある。なお、蓋部材２の内面には、第１実施形態の環状凸部２ａに代えてパッキング２ｆが取付けてあり、このパッキング２ｆで容器部１ｄの開口上面をシールさせている。
【００２８】
図４は、本発明の蓋付き容器の第３実施形態を示しており、この実施形態は、ヒンジ部４を前記蝶番構造に代えて撓みヒンジ構造としたものである。この場合、容器本体１の外側壁部１ｂのヒンジ凹部１ｆ内の比較的下部の位置に棚板部１ｈを形成し、この棚板部１ｈの外面側と蓋部材２のヒンジ凸部２ｂの下部外面とを薄肉の連結帯部４ｂで一連に連結して、この薄肉の連結帯部４ｂの部分を、その弾性を利用して撓ませることにより蓋部材２を開閉可能に連結させている。この撓みヒンジ構造の場合、ヒンジ支点が連結帯部４ｂの中間付近になるもので、操作部材３の押圧部３ｂの当接位置は、そのヒンジ支点より上部の蓋部材２の揺動端側部位に設定されていればよい。この実施形態における操作部材３の開操作及び各部の動作は、第１実施形態と同様である。
【００２９】
図５は、本発明の蓋付き容器の第４実施形態を示しており、この実施形態は、容器本体１の容器部１ｄを別体とし、レフィル（ｒｅｆｉｌｌ：詰め替え容器）方式の内容物（化粧品）の蓋付き容器に適用する場合を例示している。この場合、前記各実施形態の容器部１ｄの代わりに内側壁部１ｉを設け、レフィル容器１ｄ’を交換可能に装着したものである。レフィル容器１ｄ’の上部外周面には係止フランジ部を設けて内側壁部１ｉの上面周囲に係止させ、また、上部外径を内側壁部１ｉの内径と同一とし、下部外径をそれより小径としている。この第４実施形態のレフィル容器１ｄ’は、全体が容器本体１内に収まる大きさのものである。その他の構成は、第１実施形態と同様である。なお、レフィル容器１ｄ’を容器本体１に係止させる方法は、上記に限定されず、どのような方法でも良い。
【００３０】
図６は、本発明の蓋付き容器の第５実施形態を示しており、この実施形態は、ヒンジ部４を蝶番構造としたものにおいて、蝶番軸４ａの断面形状を小判型とし、蓋部材２のヒンジ凸部２ｂに設ける軸受孔２ｄを円形ではなく、二股状とし、蝶番軸４ａを両側から弾性的に挟持させるようにして、蓋部材２の開閉にクリック感を持たせたものである。他の構成は前記第１実施形態と同様である。
図７は、本発明の蓋付き容器の第６実施形態を示しており、この実施形態は、前記第４実施形態と同様に、容器本体１の容器部１ｄが別体とされるものであるが、相違点は、容器本体１の内側壁部１ｉと外側壁部１ｂとに別体とした容器１ｄ”の首部１ｄ１及び肩部１ｄ２を嵌合係止させるようにしたことである。この場合の容器１ｄ”は、大部分が前記実施形態の容器本体１から下方に露出するような内容物の充填量が多い場合であり、この場合も容器１ｄ”の交換は可能である。
【００３１】
図８は、本発明の蓋付き容器の第７実施形態を示しており、この実施形態は、ヒンジ部４を蝶番構造としたものにおいて、操作部材３の押圧部３ｂの先端が当接する蓋部材２のヒンジ凸部２ｂの凹所２ｃ内に、蓋部材２の開放を途中で規制するストッパー部２ｇを形成したものである。他の構成は、第１実施形態と同様である。なお、この実施形態は、蓋部材２を一気に全開させると、その衝撃で容器全体が手のひらから落下する恐れがあるような場合に適用する。そして、蓋部材２を或る角度（例えば、４５°、その他適宜の角度）まで操作部材３の操作で開放させ、残りを手等で開放させるようにするものである。
【００３２】
図９は、本発明の蓋付き容器の第８実施形態を示しており、この実施形態は、操作部材３の操作ボタン部３ａを、押圧部３ｂの動作方向と直交する両側２箇所に設置したものである。図９の上半分は、操作ボタン部３ａの押圧操作前の状態を表しており、下半分は、操作ボタン部３ａの押圧操作時の状態を表している。この場合の伝動部３ｃの動作は、図９の上半分に示す状態から両側の操作ボタン部３ａ、３ａを容器本体１の内側に押圧すると、伝動部３ｃが押圧部３ｂの動作方向両側に膨らむように弾性変形し、押圧部３ｂの反対側が容器本体１の外側壁部１ｂの内側に当たり、これ以後は、押圧部３ｂを外側に押し出す方向に弾性復元力を蓄勢し、最後に蓄勢した弾性復元力で蓋部材２を一気に開放させるものである。なお、操作ボタン部３ａの設置位置及び設置数は、図９に示す以外の設置位置及び設置数としてもよい。他の構成は、第１実施形態と同様である。この実施形態の場合、操作部材３は、操作ボタン部３ａから手を離すと、操作ボタン部３ａが伝動部３ｃの弾性復元力で元の状態に自然に戻るものである。
【００３３】
図１０の（Ａ）（Ｂ）は、本発明の蓋付き容器の第９実施形態を示しており、この実施形態は、操作部材３の操作ボタン部３ａを破線に示す状態から実線に示すように斜め上方向に押し上げて蓋部材２を開放操作するようにしたものである。この場合の操作部材３は、操作ボタン部３ａと、押圧部３ｂと、これらを連結する伝動部３ｃとを有していると共に、押圧部３ｂが、容器部１ｄの底部に嵌め込まれた底板部３ｄから起立して容器本体１の内外方向へ弾性変形可能とされた脚部３ｅに連結されている。この実施形態では、操作ボタン部３ａを斜め上に押し上げると、伝動部３ｃを介して脚部３ｅがその下端を起点として外側に反るように弾性変形し、押圧部３ｂに押出し力を生じるもので、この場合にも、伝動部３ｃは上記押圧部３ｂの押出し力を助勢するように弾性変形する。なお、他の構成は、第１実施形態と同様である。この実施形態の場合、操作部材３は、操作ボタン部３ａから手を離すと、操作ボタン部３ａが伝動部３ｃの弾性復元力で元の状態に自然に戻るものである。
【００３４】
図１１は、本発明の蓋付き容器の第１０実施形態を示しており、そのうちの（Ａ）（Ｂ）は閉蓋状態の縦断側面図と底面図を、（Ｃ）（Ｄ）は開蓋状態の縦断側面図と底面図を示している。この実施形態は、操作部材３の操作ボタン部３ａを上側方向にスライドさせて蓋部材２を開放操作するようにしたものである。この場合の操作部材３は、容器本体１の外側壁部１ｂに下方が開口した窓孔８ａを形成し、この窓孔８ａの上下方向両側縁８ｂをガイドレールとして操作ボタン部３ａの両側のスライド溝３ａ’を上下方向にスライド可能に嵌め込んでいる。そして、押圧部３ｂは、容器本体１の外側壁部１ｂに容器本体１の内外方向へ出退可能に組み込まれており、伝動部３ｃは、操作ボタン部３ａの下部から押圧部３ｂに向けて斜め上に傾斜させて配置している。この場合、図１１の（Ｂ）に示すように、操作ボタン部３ａと押圧部３ｂとに両腕部３ｆ、３ｇを対向して形成し、その間を上下方向に偏平化した伝動部３ｃで連結させている。この構成によって、操作ボタン部３ａを上方向にスライド操作すると、先ず、操作ボタン部３ａによって係合部５の係合が解除され、続いて、操作ボタン部３ａと押圧部３ｂとの間の水平方向距離が縮まることになるため、斜め上に傾斜させて配置されている伝動部３ｃが押圧部３ｂを押出す方向に突出移動して蓋部材２を開放させることになる。この場合にも、操作ボタン部３ａによって係合部５の係合が解除されるまでの間、係合部５の係止力及び蓋部材２のヒンジ部４廻り等の摩擦抵抗のため、伝動部３ｃは、弾性変形して押圧部３ｂの押出し力を蓄勢し、係合部５の係合解除後、この押出し力で蓋部材２を一気に全開させることになる。なお、他の構成は、第１実施形態と同様である。
【００３５】
図１２は、本発明の蓋付き容器の第１１実施形態を示しており、そのうちの（Ａ）は閉蓋状態の縦断側面図を、（Ｂ）（Ｃ）は開蓋状態の平面図と縦断側面図を示している。この実施形態は、操作部材３の操作ボタン部３ａを下側方向にスライドさせて蓋部材２を開放操作するようにしたものである。この場合は、前記第１０実施形態と同様に、容器本体１の外側壁部１ｂに下方が開口した窓孔８ａを形成し、この窓孔８ａの上下方向両側縁８ｂをガイドレールとして操作ボタン部３ａの両側のスライド溝３ａ’を上下方向にスライド可能に嵌め込んでいる。そして、押圧部３ｂは、容器本体１の外側壁部１ｂに容器本体１の内外方向へ出退可能に組み込まれており、伝動部３ｃは、操作ボタン部３ａの上部から押圧部３ｂに向けて斜め下に傾斜させて配置している。この場合も前記第１０実施形態と同様に、操作ボタン部３ａと押圧部３ｂとに両腕部３ｆ、３ｇを対向して形成し、その間を上下方向に偏平化した伝動部３ｃで連結させている。この構成によって、操作ボタン部３ａを下方向にスライド操作すると、操作ボタン部３ａと押圧部３ｂとの間の水平方向距離が縮まることになるため、斜め下に傾斜させて配置されている伝動部３ｃが押圧部３ｂを押出す方向に突出移動して蓋部材２を開放させる。この場合、係合解除部６ａと受部６ｂは、押圧部３ｂ側の両腕部３ｇの上面と蓋部材２の内面とに傾斜カム面として対向して形成し、押圧部３ｂの押出し方向の移動によって蓋部材２を押し上げるように構成している。操作部材３側の係合解除部６ａは容器本体１の天板部１ａの窓孔１ａ’を通して蓋部材２の受部６ｂと対応せしめられている。そしてこの場合にも、係合部５の係止力及び蓋部材２のヒンジ部４廻り等の摩擦抵抗のため、伝動部３ｃは、弾性変形して押圧部３ｂの押出し力を蓄勢し、この押出し力が前記係止力及び摩擦抵抗に打ち勝つと一気に蓋部材２を全開させることになる。なお、他の構成は、第１実施形態と同様である。
【００３６】
図１３は、本発明の蓋付き容器の第１２実施形態を示しており、そのうちの（Ａ）（Ｂ）は、縦断側面図と底面図を示している。この実施形態は、操作ボタン部３ａを容器本体１の内側方向へ押圧操作することにより伝動部３ｃを介して押圧部３ｂを容器本体１の外側に突出移動させて蓋部材２を開放させるものであるが、伝動部３ｃを容器本体１の底部に沿って平行に配置し、この伝動部３ｃを、図１３の（Ｃ）に示すように、操作ボタン部３ａと押圧部３ｂとにそれぞれ脚部材３ｈ、３ｉで吊り下げ連結している。この場合、操作ボタン部３ａを容器本体１の内側方向に押圧操作すると、脚部材３ｈから伝動部３ｃ及び脚部材３ｉを介して押圧部３ｂに押出し力が伝達されるが、この場合にも、係合部５の係止力及びヒンジ部４廻り等の摩擦抵抗のため、伝動部３ｃが弾性変形して押圧部３ｂの押出し力を蓄勢し、この押出し力が前記係止力及び摩擦抵抗に打ち勝つと一気に蓋部材２を全開させることになる。なお、他の構成は、第１実施形態と同様である。この実施形態における脚部材３ｈ、３ｉは、円板状の伝動部３ｃの周縁に沿って半円弧状に対向させた形状としたり、その他、適宜の形状としてもよい。
【００３７】
以上、本発明の蓋付き容器の複数の実施形態を説明してきたが、本発明は、これらの実施形態にのみ限定されるものではない。例えば、底板部材７は、第６実施形態以外の実施形態に適用可能であり、操作部材３の具体的構造も前記各実施形態に限定されず、特許請求の範囲内で変更可能である。また、本発明を化粧用コンパクト容器に適用する場合には、蓋部材２の内面に容器本体１の開口部をシールするパッキング２ｆを設ける代わりに、鏡を設けてもよい。また、容器本体１に対する容器部１ｄは、異色又は異質の化粧品を分別収容するために、１個とは限らず、複数個を設けてあってもよい。
【００３８】
【発明の効果】
本発明によれば、ヒンジ構造を簡単化し、蓋部材の上面の外観を向上させ、操作部材による蓋部材の開動作を弾性復元力でスムーズに行える蓋付き容器を提供することができる。
【図面の簡単な説明】
【図１】（Ａ）（Ｂ）は本発明の蓋付き容器の第１実施形態の閉蓋状態における縦断側面図と底面図である。
【図２】（Ａ）（Ｂ）は第１実施形態の開蓋操作時の縦断側面図と底面図であり、（Ｃ）は蓋部材の斜視図である。
【図３】本発明の蓋付き容器の第２実施形態の縦断側面図である。
【図４】本発明の蓋付き容器の第３実施形態の縦断側面図である。
【図５】本発明の蓋付き容器の第４実施形態の縦断側面図である。
【図６】本発明の蓋付き容器の第５実施形態の要部縦断側面図である。
【図７】本発明の蓋付き容器の第６実施形態の縦断側面図である。
【図８】本発明の蓋付き容器の第７実施形態の縦断側面図である。
【図９】本発明の蓋付き容器の第８実施形態の底面図で、上半分は閉蓋状態を、下半分は開蓋状態を示している。
【図１０】（Ａ）は本発明の蓋付き容器の第９実施形態の縦断側面図、（Ｂ）は操作部材の斜視図である。
【図１１】（Ａ）（Ｂ）は本発明の蓋付き容器の第１０実施形態の閉蓋状態における縦断側面図と底面図を、（Ｃ）（Ｄ）は開蓋状態における縦断側面図と底面図である。
【図１２】（Ａ）は本発明の蓋付き容器の第１１実施形態の閉蓋状態における縦断側面図を、（Ｂ）（Ｃ）は開蓋状態における平面図と縦断側面図を示している。
【図１３】（Ａ）（Ｂ）は本発明の第１２実施形態を示す縦断側面図と底面図、（Ｃ）は操作部材の斜視図である。
【符号の説明】
１    容器本体
２    蓋部材
３    操作部材
３ａ  操作ボタン部
３ｂ  押圧部
３ｃ  伝動部
４    ヒンジ部
５    係合部
６ａ  係合解除部
６ｂ  受部
７    底板部材
【図１】
2004315063.tif 000003
【図２】
2004315063.tif 000004
【図３】
2004315063.tif 000005
【図４】
2004315063.tif 000006
【図５】
2004315063.tif 000007
【図６】
2004315063.tif 000008
【図７】
2004315063.tif 000009
【図８】
2004315063.tif 000010
【図９】
2004315063.tif 000011
【図１０】
2004315063.tif 000012
【図１１】
2004315063.tif 000013
【図１２】
2004315063.tif 000014
【図１３】
2004315063.tif 000015